【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
被測定者の心臓部の位置を示す第１位置情報信号を発信する基準位置発信部と、
外部の血圧測定装置の装着位置を示す第２位置情報信号を発信する装着位置発信部と、
前記心臓部の位置の高さに生じる変動を検出する第１センサと、
前記血圧測定装置の位置の高さに生じる変動を検出する第２センサと、
前記第１位置情報信号と前記第２位置情報信号を受信する第１受信部と、
前記第１位置情報信号と前記第２位置情報信号を受信し、前記第１受信部より予め設定された距離を離れて配置される第２受信部と、
前記第１位置情報信号から前記心臓部の位置の高さを求め、及び前記第２位置情報信号から前記血圧測定装置の装着位置の高さを求めて、前記心臓部の位置と装着位置との高低差を算出する高さ情報生成部と、
前記高低差により重力の作用で発生する血圧の測定誤差を補正する高さ補正値を算出する高さ補正値算出部と、
前記高さ補正値算出部が算出した高さ補正値を記憶するメモリ部と、
前記血圧測定装置により測定された血圧測定値を前記高さ補正値で補正する処理部と、
を備え、
前記処理部は、前記第１センサ及び前記第２センサの少なくとも一方において前記変動が検出された場合、前記変動の検出から体動検出待機時間が経過したことに基づいて前記高さ補正値算出部に前記高さ補正値の算出を実施させる、高さ補正装置。
【請求項２】
前記高さ補正装置において、
前記第１受信部を第１頂点とし、前記基準位置発信部又は前記装着位置発信部を第２頂点とし、前記第２受信部を第３頂点とするそれぞれの三角形を形成し、
前記高さ情報生成部は、前記三角形を利用し、前記第１受信部及び前記第２受信部のそれぞれから前記基準位置発信部及び前記装着位置発信部のそれぞれまでの距離情報を算出し、該距離情報に基づく座標情報により前記心臓部と前記血圧測定装置との高低差を生成する請求項１に記載の高さ補正装置。
【請求項３】
前記第１センサ及び前記第２センサの少なくとも一方において前記変動が検出された場合において前記高さ補正値算出部による前記高さ補正値の算出が行われた後に前記血圧測定装置に血圧測定を実行させる測定タイミング設定部をさらに備え、
前記測定タイミング設定部は、
前記血圧測定装置による予め設定された測定期間内で一定間隔を空けて定期的に測定する血圧測定へ時系列的に加えて、前記高さ補正値が更新された直後に、前記血圧測定装置で不定期的に測定する血圧測定を設定する請求項１に記載の高さ補正装置。
【請求項４】
前記第１センサ及び前記基準位置発信部は、少なくとも２組が用いられ、
前記被測定者に巻回装着するベルトと、
前記ベルト上で移動可能に設けられ、前記第１センサ及び前記基準位置発信部を装着する取り付け器具と、を備える請求項１に記載の高さ補正装置。
【請求項５】
前記第１センサ及び前記第２センサの少なくとも一方において前記変動が検出された場合において前記高さ補正値算出部による前記高さ補正値の算出が行われた後に前記血圧測定装置に血圧測定を実行させる測定タイミング設定部と、
前記第１センサ及び前記基準位置発信部に接続し、前記第１センサにより検出された体動発生信号及び、前記基準位置発信部へ基準位置信号の発信を指示する指示信号を、無線信号に変換して無線通信する第１通信部と、
前記血圧測定装置、前記第２センサ及び前記基準位置発信部に接続し、前記血圧測定装置への測定タイミング信号と、前記第２センサにより検出された体動発生信号と、前記装着位置発信部へ装着位置信号の発信を指示する指示信号を、無線信号に変換して無線通信する第２通信部と、
前記第１通信部及び前記第２通信部との間で無線通信を行い、前記体動発生信号、基準位置信号及び装着位置信号を前記測定タイミング設定部の間で通信を行う主通信部と、を備える請求項１に記載の高さ補正装置。
【請求項６】
前記被測定者の手首に装着される手首式血圧測定装置又は上腕に装着される上腕式血圧測定装置と、
請求項１乃至５のいずれか１に記載の高さ補正装置と、
を備える血圧測定システム。
【請求項７】
基準位置の高さを第１位置情報信号として発信し、
外部の測定器の装着位置の高さを第２位置情報信号として発信し、
前記基準位置に生じる変動を検出し、
前記測定器の位置に生じる変動を検出し、
前記第１位置情報信号と前記第２位置情報信号を第１受信信号として受信し、
前記第１受信信号の受信位置より予め設定された距離を離れた位置で、前記第１位置情報信号と前記第２位置情報信号を第２受信部信号として受信し、
前記第１位置情報信号から前記基準位置の高さを求め、及び前記第２位置情報信号から前記測定器の位置を求めて、前記基準位置と前記測定器の位置との高低差を算出し、
前記高低差に応じて、前記測定器の位置で測定された測定値を前記基準位置で測定される測定値に近似させる高さ補正値を算出し、
前記測定器により測定された測定結果に対して、前記高さ補正値で補正し、前記基準位置の高さで測定された測定結果に近似させ、
前記基準位置に生じる変動及び前記測定器の位置に生じる変動の少なくとも一方が検出された場合、前記変動の検出から体動検出待機時間が経過したことに基づいて前記高さ補正値を算出する、高さ補正方法。
【手続補正２】
【補正対象書類名】明細書
【補正対象項目名】００１０
【補正方法】変更
【補正の内容】
【００１０】
上記目的を達成するために、本発明に従う第１の態様に係る高さ補正装置は、被測定者の心臓部の位置を示す第１位置情報信号を発信する基準位置発信部と、外部の血圧測定装置の装着位置を示す第２位置情報信号を発信する装着位置発信部と、前記心臓部の位置の高さに生じる変動を検出する第１センサと、前記血圧測定装置の位置の高さに生じる変動を検出する第２センサと、前記第１位置情報信号と前記第２位置情報信号を受信する第１受信部と、前記第１位置情報信号と前記第２位置情報信号を受信し、前記第１受信部より予め設定された距離を離れて配置される第２受信部と、前記第１位置情報信号から前記心臓部の位置の高さを求め、及び前記第２位置情報信号から前記血圧測定装置の装着位置の高さを求めて、前記心臓部の位置と装着位置との高低差を算出する高さ情報生成部と、前記高低差により重力の作用で発生する血圧の測定誤差を補正する高さ補正値を算出する高さ補正値算出部と、前記高さ補正値算出部が算出した高さ補正値を記憶するメモリ部と、前記血圧測定装置により測定された血圧測定値を前記高さ補正値で補正する処理部と、を備える。
【手続補正３】
【補正対象書類名】明細書
【補正対象項目名】００１１
【補正方法】変更
【補正の内容】
【００１１】
第２の態様に係る高さ補正装置は、前記第１受信部を第１頂点とし、前記基準位置発信部又は前記装着位置発信部を第２頂点とし、前記第２受信部を第３頂点とするそれぞれの三角形を形成し、前記高さ情報生成部は、前記三角形を利用し、前記第１受信部及び前記第２受信部のそれぞれから前記基準位置発信部及び前記装着位置発信部のそれぞれまでの距離情報を算出し、該距離情報に基づく座標情報により前記心臓部と前記血圧測定装置との高低差を生成する。
【手続補正４】
【補正対象書類名】明細書
【補正対象項目名】００１２
【補正方法】変更
【補正の内容】
【００１２】
第３の態様に係る高さ補正装置は、前記第１センサ及び前記第２センサの少なくとも一方において前記変動が検出された場合において前記高さ補正値算出部による前記高さ補正値の算出が行われた後に前記血圧測定装置に血圧測定を実行させる測定タイミング設定部をさらに備える。  
第４の態様に係る高さ補正装置は、前記第１センサ及び前記基準位置発信部は、少なくとも２組が用いられ、前記被測定者に巻回装着するベルトと、前記ベルト上で移動可能に設けられ、前記第１センサ及び前記基準位置発信部を装着する取り付け器具と、を備える。
【手続補正５】
【補正対象書類名】明細書
【補正対象項目名】００１３
【補正方法】変更
【補正の内容】
【００１３】
第５の態様に係る高さ補正装置は、前記第１センサ及び前記第２センサの少なくとも一方において前記変動が検出された場合において前記高さ補正値算出部による前記高さ補正値の算出が行われた後に前記血圧測定装置に血圧測定を実行させる測定タイミング設定部と、前記第１センサ及び前記基準位置発信部に接続し、前記第１センサにより検出された体動発生信号及び、前記基準位置発信部へ基準位置信号の発信を指示する指示信号を、無線信号に変換して無線通信する第１通信部と、前記血圧測定装置、前記第２センサ及び前記基準位置発信部に接続し、前記血圧測定装置への測定タイミング信号と、前記第２センサにより検出された体動発生信号と、前記装着位置発信部へ装着位置信号の発信を指示する指示信号を、無線信号に変換して無線通信する第２通信部と、前記第１通信部及び前記第２通信部との間で無線通信を行い、前記体動発生信号、基準位置信号及び装着位置信号を前記測定タイミング設定部の間で通信を行う主通信部と、を備える。
【手続補正６】
【補正対象書類名】明細書
【補正対象項目名】００１４
【補正方法】変更
【補正の内容】
【００１４】
第６の態様に係る高さ補正装置は、前記被測定者の手首に装着される手首式血圧測定装置又は上腕に装着される上腕式血圧測定装置と、を備える。
【手続補正７】
【補正対象書類名】明細書
【補正対象項目名】００１５
【補正方法】変更
【補正の内容】
【００１５】
第７の態様に係る高さ補正方法は、基準位置の高さを第１位置情報信号として発信し、外部の測定器の装着位置の高さを第２位置情報信号として発信し、前記基準位置に生じる変動を検出し、前記測定器の位置に生じる変動を検出し、前記第１位置情報信号と前記第２位置情報信号を第１受信信号として受信し、前記第１受信信号の受信位置より予め設定された距離を離れた位置で、前記第１位置情報信号と前記第２位置情報信号を第２受信部信号として受信し、前記第１位置情報信号から前記基準位置の高さを求め、及び前記第２位置情報信号から前記測定器の位置を求めて、前記基準位置と前記測定器の位置との高低差を算出し、前記高低差に応じて、前記測定器の位置で測定された測定値を前記基準位置で測定される測定値に近似させる高さ補正値を算出し、前記測定器により測定された測定結果に対して、前記高さ補正値で補正し、前記基準位置の高さで測定された測定結果に近似させ、前記基準位置に生じる変動及び前記測定器の位置に生じる変動の少なくとも一方が検出された場合、前記変動の検出から体動検出待機時間が経過したことに基づいて前記高さ補正値を算出する。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
第１の態様及び第７の態様によれば、就寝期間を含む測定期間においても仰臥位の被測定者における身体の回転や測定装置が装着された部位に体動が発生した際に、身体における測定基準部位及び装着された部位のそれぞれの高さ情報を測定し、取得された測定値に、高さ情報を用いて高さ補正を施し、測定基準部位の高さで測定される測定値に近似させて精度の高い測定値を取得することができる。
【手続補正１１】
【補正対象書類名】明細書
【補正対象項目名】００１９
【補正方法】変更
【補正の内容】
【００１９】
さらに、第１の態様によれば、被測定者が睡眠状態において、無意識な寝返りや腕の振り動作があったとしても、新たな高さ補正値に更新し、血圧測定装置による測定値が常に心臓部の高さで得られる血圧値に近似するように補正されるため、測定誤差が減少され、正確な血圧値を取得することができる。また、体動が発生する都度で、その体動の終了後に、血圧測定が行われるため、体動による血圧値の変化か、体動以外の身体上に起きた血圧値の変化かを事後に明確に確認することができ、誤診断を排除でき、血圧値を正確な診断に寄与させることができる。高さ補正装置においては、体動センサと発信部からなる測定ユニットを血圧測定装置と一体的に構成できるため、被測定者の手首等の部位への装脱着が容易である。
【手続補正１２】
【補正対象書類名】明細書
【補正対象項目名】００２０
【補正方法】変更
【補正の内容】
【００２０】
第２の態様によれば、第１受信部と、装着位置発信部又は前記装着位置発信部と、第２受信部を頂点とする２組の三角形を形成し、三角測量の技術と正弦定理を用いて、第１受信部及び第２受信部から基準位置発信部までのそれぞれの距離情報を算出し、この距離情報から作成した座標情報により、心臓部と血圧測定装置との高さ差を生成することができる。
【手続補正１３】
【補正対象書類名】明細書
【補正対象項目名】００２１
【補正方法】変更
【補正の内容】
【００２１】
第３の態様によれば、測定タイミング設定部により、高さ補正値の算出が行われた後に血圧測定装置に血圧測定を実行させることができる。
【手続補正１４】
【補正対象書類名】明細書
【補正対象項目名】００２２
【補正方法】変更
【補正の内容】
【００２２】
第４の態様によれば、少なくとも２組の第１センサ及び基準位置発信部がベルト取り付け器具により移動可能に取り付けられたベルトを被測定者に巻回装着することができる。
【手続補正１５】
【補正対象書類名】明細書
【補正対象項目名】００２３
【補正方法】変更
【補正の内容】
【００２３】
第５の態様によれば、測定タイミング設定部は、第１センサ及び第２センサの少なくとも一方で変動が検出された場合には、高さ補正値算出部による高さ補正値の算出が行われた後に、血圧測定装置により血圧測定を実行させる。また、第５の態様によれば、被測定者の身体（胸部及び手首）に装着される前記第１通信部及び前記第２通信部との間で無線通信が行われ、無線により前記体動発生信号、基準位置信号及び装着位置信号を通信するため、信号線も不要なコードレスとなり、被測定者の動きを妨げる要因が全て排除され、長時間に渡る測定であっても、身体の動作への有線による動作時の違和感がなくなり、不快感を著しく減少させることができる。
【手続補正１６】
【補正対象書類名】明細書
【補正対象項目名】００２４
【補正方法】変更
【補正の内容】
【００２４】
第６の態様によれば、手首式血圧測定装置により被測定者の手首に装着できる、または、上腕式血圧測定装置により上腕に装着することができ、被測定者の体格に合わせて移動させて、心臓部付近に適正に配置することができ、装脱着も容易である。